(57)【特許請求の範囲】
【請求項１】
一又は複数のグループの識別情報と、該一又は複数のグループの各々に含まれる一又は複数の基地局装置の識別情報とを対応付けて記憶する第１の記憶部と、
端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、
該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部と
を備えるデータ量付与管理サーバと、
複数の基地局装置の各々の識別情報と、複数の端末装置の識別情報と、該複数の端末装置の各々が利用できるデータ量とを対応付けて記憶する第２の記憶部と、
該第２の記憶部に記憶されるデータ量のうち、前記データ量付与管理サーバによって送信される前記基地局装置の識別情報、及び前記端末装置の識別情報の組み合わせに対応するデータ量を増加させるデータ量管理部と、
端末装置が送信するデータ通信要求が基地局装置によって受信された場合に、前記第２の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御する制御部と
を備える、前記データ残量管理サーバと
を備える、通信データ量管理システム。
【請求項２】
一又は複数のグループの識別情報と、該一又は複数のグループの各々に含まれる一又は複数の基地局装置の識別情報とを対応付けて記憶する第１の記憶部と、
端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、
該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部と
を備え、
前記送信部は、端末装置によってデータ通信要求が基地局装置へ送信された場合に、該端末装置が送信する該端末装置の識別情報と該基地局装置の識別情報とをデータ残量管理サーバへ送信する、データ量付与管理サーバと、
複数の基地局装置の各々の識別情報と、複数の端末装置の識別情報と、該複数の端末装置の各々が利用できるデータ量とを対応付けて記憶する第２の記憶部と、
該第２の記憶部に記憶されるデータ量のうち、前記データ量付与管理サーバによって送信される前記基地局装置の識別情報、及び前記端末装置の識別情報の組み合わせに対応するデータ量を増加させるデータ量管理部と、
前記第２の記憶部に記憶される前記端末装置の識別情報のうち、前記データ量付与管理サーバによって送信される前記端末装置の識別情報と前記基地局装置の識別情報との組み合わせに対応するデータ量に基づいて、前記データ通信要求を送信した前記端末装置によって行われるデータ通信を制御する制御部と
を備える、前記データ残量管理サーバと
を備える、通信データ量管理システム。
【請求項３】
前記第１の記憶部は、前記一又は複数の基地局装置の識別情報の各々と、該基地局装置が報知している該基地局装置の識別情報を端末装置から受信した場合に付与するデータ量とを対応付けて記憶し、
前記送信部は、前記判定部によって前記第１の基地局装置の識別情報が前記第１の記憶部に記憶されていると判定された場合に、前記第１の基地局装置の識別情報と同じグループに含まれる前記基地局装置の識別情報に対応する第１のデータ量を表す情報をデータ残量管理サーバへ送信し、
前記データ量管理部は、前記第２の記憶部に記憶されるデータ量のうち、前記データ量付与管理サーバによって送信される前記基地局装置の識別情報と前記端末装置の識別情報との組み合わせに対応するデータ量に前記第１のデータ量を追加する、請求項１又は請求項２に記載の通信データ量管理システム。
【請求項４】
前記制御部は、前記データ通信要求を送信した前記端末装置によって行われるデータ通信を制御する際に、前記データ量管理部によって増加させたデータ量から利用する、請求項１から請求項３のいずれか１項に記載の通信データ量管理システム。
【請求項５】
前記第１の基地局装置の識別情報が前記第１の記憶部に記憶されていると判定された後に、前記端末装置が、前記第１の基地局装置の識別情報に対応する第１の基地局装置と同じグループに含まれる前記基地局装置以外の第２の基地局装置が報知している該第２の基地局装置の識別情報を受信し、前記判定部によって、前記端末装置によって送信された前記第２の基地局装置の識別情報が前記第１の記憶部に記憶されていない又は前記第１の基地局装置とは異なるグループに含まれると判定された場合に、前記送信部は、前記端末装置の識別情報と、前記第１の基地局装置と同じグループに含まれる基地局装置が報知している該基地局装置の識別情報を受信していないことを表す情報とをデータ残量管理サーバへ送信し、
前記データ量管理部は、前記第２の記憶部に記憶されるデータ量のうち、前記データ量付与管理サーバによって送信される前記端末装置の識別情報に対応するデータ量のうち増加させたデータ量を利用不可とする、請求項１から請求項４のいずれか１項に記載の通信データ量管理システム。
【請求項６】
前記第１の基地局装置の識別情報が前記第１の記憶部に記憶されていると判定された後に、前記端末装置が、前記第１の基地局装置の識別情報に対応する第１の基地局装置と同じグループに含まれる前記基地局装置以外の第２の基地局装置が報知している該第２の基地局装置の識別情報を受信し、前記判定部によって、前記端末装置によって送信された前記第２の基地局装置の識別情報が前記第１の記憶部に記憶されていない又は前記第１の基地局装置と異なるグループに含まれると判定された場合に、前記送信部は、前記端末装置の識別情報と、前記第１の基地局装置と同じグループに含まれる基地局装置が報知している該基地局装置の識別情報を受信していないことを表す情報とをデータ残量管理サーバへ送信し、
前記データ量管理部は、前記第２の記憶部に記憶されるデータ量のうち、前記データ量付与管理サーバによって送信される前記端末装置の識別情報に対応するデータ量から増加させたデータ量を減算する、請求項１から請求項４のいずれか１項に記載の通信データ量管理システム。
【請求項７】
一又は複数のグループの識別情報と、該一又は複数のグループの各々に含まれる一又は複数の基地局装置の識別情報とを対応付けて記憶する第１の記憶部と、
端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、
該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部と
を備え、
前記データ残量管理サーバは、
複数の基地局装置の各々の識別情報と、複数の端末装置の識別情報と、該複数の端末装置の各々が利用できるデータ量とを対応付けて記憶する第２の記憶部に記憶されるデータ量のうち、前記送信部が送信した前記基地局装置の識別情報、及び前記端末装置の識別情報の組み合わせに対応するデータ量を増加させるデータ量付与管理サーバ。
【請求項８】
複数の基地局装置の各々の識別情報と、複数の端末装置の識別情報と、該複数の端末装置の各々が利用できるデータ量とを対応付けて記憶する第１の記憶部と、
該第１の記憶部に記憶されるデータ量のうち、データ量付与管理サーバによって送信される前記基地局装置の識別情報、及び前記端末装置の識別情報の組み合わせに対応するデータ量を増加させるデータ量管理部と、
端末装置が送信するデータ通信要求が基地局装置によって受信された場合に、前記第１の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御する制御部と
を備え、
前記データ量付与管理サーバは、第１の基地局装置が報知している該第１の基地局装置の識別情報を受信した端末装置が送信する前記第１の基地局装置の識別情報を取得し、取得した前記第１の基地局装置の識別情報が、一又は複数のグループの識別情報と、該一又は複数のグループの各々に含まれる一又は複数の基地局装置の識別情報とを対応付けて記憶する第２の記憶部に記憶されていると判定した場合に、前記第１の基地局装置の識別情報に対応付けられたグループに含まれる基地局装置の識別情報と、前記端末装置の識別情報とをデータ残量管理サーバへ送信する、データ残量管理サーバ。
【請求項９】
一又は複数のグループの識別情報と、該一又は複数のグループの各々に含まれる一又は複数の基地局装置の識別情報とを対応付けて記憶する第１の記憶部と、
端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、
該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部と
を備え、
前記送信部は、端末装置によってデータ通信要求が基地局装置へ送信された場合に、該端末装置が送信する該端末装置の識別情報と該基地局装置の識別情報とをデータ残量管理サーバへ送信し、
前記データ残量管理サーバは、
複数の基地局装置の各々の識別情報と、複数の端末装置の識別情報と、該複数の端末装置の各々が利用できるデータ量とを対応付けて記憶する第２の記憶部に記憶されるデータ量のうち、前記送信部が送信した前記基地局装置の識別情報、及び前記端末装置の識別情報の組み合わせに対応するデータ量を増加させるデータ量付与管理サーバ。
【請求項１０】
複数の基地局装置の各々の識別情報と、複数の端末装置の識別情報と、該複数の端末装置の各々が利用できるデータ量とを対応付けて記憶する第１の記憶部と、
該第１の記憶部に記憶されるデータ量のうち、データ量付与管理サーバによって送信される基地局装置の識別情報、及び端末装置の識別情報の組み合わせに対応するデータ量を増加させるデータ量管理部と、
前記第１の記憶部に記憶される前記端末装置の識別情報のうち、データ量付与管理サーバによって送信される前記端末装置の識別情報と前記基地局装置の識別情報との組み合わせに対応するデータ量に基づいて、データ通信要求を送信した前記端末装置によって行われるデータ通信を制御する制御部と
を備え、
前記データ量付与管理サーバは、第１の基地局装置が報知している該第１の基地局装置の識別情報を受信した端末装置が送信する前記第１の基地局装置の識別情報を取得し、取得した前記第１の基地局装置の識別情報が、一又は複数のグループの識別情報と、該一又は複数のグループの各々に含まれる一又は複数の基地局装置の識別情報とを対応付けて記憶する第２の記憶部に記憶されていると判定した場合に、前記第１の基地局装置の識別情報に対応付けられたグループに含まれる基地局装置の識別情報と、前記端末装置の識別情報とをデータ残量管理サーバへ送信する、データ残量管理サーバ。
【請求項１１】
端末装置が第１の基地局装置が報知している該第１の基地局装置の識別情報を受信した場合に、データ量付与管理サーバが、該端末装置によって送信される該第１の基地局装置の識別情報を取得するステップと、
前記データ量付与管理サーバが、該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、
前記データ量付与管理サーバが、前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信するステップと
を実行し、
前記データ残量管理サーバが、複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、
前記データ残量管理サーバが、端末装置が送信するデータ通信要求が基地局装置によって受信された場合に、前記第２の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御するステップと
を実行する、通信データ量管理方法。
【請求項１２】
端末装置が第１の基地局装置が報知している該第１の基地局装置の識別情報を受信した場合に、データ量付与管理サーバが、該端末装置によって送信される該第１の基地局装置の識別情報を取得し、該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、
前記第１の基地局装置の識別情報が前記第１の記憶部に記憶されていると判定された場合に、データ量付与管理サーバが、前記第１の基地局装置の識別情報に対応付けられたグループに含まれる基地局装置の識別情報と、前記端末装置の識別情報とをデータ残量管理サーバへ送信するステップと、
データ量付与管理サーバが、端末装置によってデータ通信要求が基地局装置へ送信された場合に、該端末装置が送信する該端末装置の識別情報と該基地局装置の識別情報とをデータ残量管理サーバへ送信するステップと
を実行し、
前記データ残量管理サーバが、複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、
前記データ残量管理サーバが、前記第２の記憶部に記憶される前記端末装置の識別情報のうち、前記データ量付与管理サーバによって送信される前記端末装置の識別情報と前記基地局装置の識別情報との組み合わせに対応するデータ量に基づいて、前記データ通信要求を送信した前記端末装置によって行われるデータ通信を制御するステップと
を実行する、通信データ量管理方法。
【請求項１３】
データ量付与管理サーバのコンピュータに、
端末装置が第１の基地局装置が報知している該第１の基地局装置の識別情報を受信した場合に、該端末装置によって送信される該第１の基地局装置の識別情報を取得するステップと、
該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、
前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信するステップと
を実行させ、
前記データ残量管理サーバのコンピュータに、
複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、
端末装置が送信するデータ通信要求が基地局装置によって受信された場合に、前記第２の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御するステップと
を実行させる、プログラム。
【請求項１４】
データ量付与管理サーバのコンピュータに、
端末装置が第１の基地局装置が報知している該第１の基地局装置の識別情報を受信した場合に、該端末装置によって送信される該第１の基地局装置の識別情報を取得し、該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、
前記第１の基地局装置の識別情報が、前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信するステップと、
端末装置によってデータ通信要求が基地局装置へ送信された場合に、該端末装置が送信する該端末装置の識別情報と該基地局装置の識別情報とをデータ残量管理サーバへ送信するステップと
を実行させ、
前記データ残量管理サーバのコンピュータに、
複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、
前記第２の記憶部に記憶される前記端末装置の識別情報のうち、前記データ量付与管理サーバによって送信される前記端末装置の識別情報と前記基地局装置の識別情報との組み合わせに対応するデータ量に基づいて、前記データ通信要求を送信した前記端末装置によって行われるデータ通信を制御するステップと
を実行させる、プログラム。
【発明の詳細な説明】
【技術分野】
【０００１】
本発明は、通信データ量管理システム、データ量付与管理サーバ、データ残量管理サーバ、通信データ量管理方法、及びプログラムに関する。
【背景技術】
【０００２】
公衆無線ＬＡＮ（Ｌｏｃａｌ  Ａｒｅａ  Ｎｅｔｗｏｒｋ）通信が普及し、無線ＬＡＮアクセスポイントが、駅、空港、店舗等の様々な場所に設置されることが多くなってきている。また、パーソナルコンピュータ、携帯電話機、ポータブルゲーム機等のモバイル機器に、無線ＬＡＮ通信機能が標準搭載されるようになってきた。
コンテンツ情報を送信する情報通信装置に関して、送信するコンテンツ情報が機密情報であった場合に、送信場所を制限する技術が知られている（例えば、特許文献１参照）。
【先行技術文献】
【特許文献】
【０００３】
【特許文献１】特開２０１３−１２３１７３号公報
【発明の概要】
【発明が解決しようとする課題】
【０００４】
集客力を向上させるために、店舗では様々な工夫が行われている。例えば、無線ＬＡＮアクセスポイント等の基地局装置を店舗に設置し、店舗に入ったユーザに対して店舗の情報を通知するサービスが行われている。このサービスにより、ユーザに対して店舗の情報を効果的に通知することが可能となる。一方、無線端末等の端末装置には、利用できるデータ量が設定され、該利用できるデータ量を超えてデータ通信をしようとする場合、速度低下等の対策が取られることが多い。このため、店舗の情報を受信する端末装置のユーザにとっては、店舗の情報を受信することによって利用できるデータ量が減少するため、そのサービスの利用が進まないおそれがある。
本発明は、上記問題を解決すべくなされたもので、その目的は、特定の基地局装置の通信エリア内に端末装置のユーザが入ることを促すことを目的とする。
【課題を解決するための手段】
【０００５】
（１）本発明の一態様は、一又は複数のグループの識別情報と、該一又は複数のグループの各々に含まれる一又は複数の基地局装置の識別情報とを対応付けて記憶する第１の記憶部と、端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部とを備えるデータ量付与管理サーバと、複数の基地局装置の各々の識別情報と、複数の端末装置の識別情報と、該複数の端末装置の各々が利用できるデータ量とを対応付けて記憶する第２の記憶部と、該第２の記憶部に記憶されるデータ量のうち、前記データ量付与管理サーバによって送信される前記基地局装置の識別情報、及び前記端末装置の識別情報の組み合わせに対応するデータ量を増加させるデータ量管理部と、端末装置が送信するデータ通信要求が基地局装置によって受信された場合に、前記第２の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御する制御部とを備える、前記データ残量管理サーバとを備える、通信データ量管理システムである。
【０００６】
（２）本発明の一態様は、一又は複数のグループの識別情報と、該一又は複数のグループの各々に含まれる一又は複数の基地局装置の識別情報とを対応付けて記憶する第１の記憶部と、端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部とを備え、前記送信部は、端末装置によってデータ通信要求が基地局装置へ送信された場合に、該端末装置が送信する該端末装置の識別情報と該基地局装置の識別情報とをデータ残量管理サーバへ送信する、データ量付与管理サーバと、複数の基地局装置の各々の識別情報と、複数の端末装置の識別情報と、該複数の端末装置の各々が利用できるデータ量とを対応付けて記憶する第２の記憶部と、該第２の記憶部に記憶されるデータ量のうち、前記データ量付与管理サーバによって送信される前記基地局装置の識別情報、及び前記端末装置の識別情報の組み合わせに対応するデータ量を増加させるデータ量管理部と、前記第２の記憶部に記憶される前記端末装置の識別情報のうち、前記データ量付与管理サーバによって送信される前記端末装置の識別情報と前記基地局装置の識別情報との組み合わせに対応するデータ量に基づいて、前記データ通信要求を送信した前記端末装置によって行われるデータ通信を制御する制御部とを備える、前記データ残量管理サーバとを備える、通信データ量管理システムである。
【０００７】
（３）本発明の一態様は、上記（１）又は上記（２）に記載の通信データ量管理システムにおいて、前記第１の記憶部は、前記一又は複数の基地局装置の識別情報の各々と、該基地局装置が報知している該基地局装置の識別情報を端末装置から受信した場合に付与するデータ量とを対応付けて記憶し、前記送信部は、前記判定部によって前記第１の基地局装置の識別情報が前記第１の記憶部に記憶されていると判定された場合に、前記第１の基地局装置の識別情報と同じグループに含まれる前記基地局装置の識別情報に対応する第１のデータ量を表す情報をデータ残量管理サーバへ送信し、前記データ量管理部は、前記第２の記憶部に記憶されるデータ量のうち、前記データ量付与管理サーバによって送信される前記基地局装置の識別情報と前記端末装置の識別情報との組み合わせに対応するデータ量に前記第１のデータ量を追加する、通信データ量管理システムである。
【０００８】
（４）本発明の一態様は、上記（１）から上記（３）のいずれか１項に記載の通信データ量管理システムにおいて、前記制御部は、前記データ通信要求を送信した前記端末装置によって行われるデータ通信を制御する際に、前記データ量管理部によって増加させたデータ量から利用する、通信データ量管理システムである。
【０００９】
（５）本発明の一態様は、上記（１）から上記（４）のいずれか１項に記載の通信データ量管理システムにおいて、前記第１の基地局装置の識別情報が前記第１の記憶部に記憶されていると判定された後に、前記端末装置が、前記第１の基地局装置の識別情報に対応する第１の基地局装置と同じグループに含まれる前記基地局装置以外の第２の基地局装置が報知している該第２の基地局装置の識別情報を受信し、前記判定部によって、前記端末装置によって送信された前記第２の基地局装置の識別情報が前記第１の記憶部に記憶されていない又は前記第１の基地局装置とは異なるグループに含まれると判定された場合に、前記送信部は、前記端末装置の識別情報と、前記第１の基地局装置と同じグループに含まれる基地局装置が報知している該基地局装置の識別情報を受信していないことを表す情報とをデータ残量管理サーバへ送信し、前記データ量管理部は、前記第２の記憶部に記憶されるデータ量のうち、前記データ量付与管理サーバによって送信される前記端末装置の識別情報に対応するデータ量のうち増加させたデータ量を利用不可とする、通信データ量管理システムである。
【００１０】
（６）本発明の一態様は、上記（１）から（４）のいずれか１項に記載の通信データ量管理システムにおいて、前記第１の基地局装置の識別情報が前記第１の記憶部に記憶されていると判定された後に、前記端末装置が、前記第１の基地局装置の識別情報に対応する第１の基地局装置と同じグループに含まれる前記基地局装置以外の第２の基地局装置が報知している該第２の基地局装置の識別情報を受信し、前記判定部によって、前記端末装置によって送信された前記第２の基地局装置の識別情報が前記第１の記憶部に記憶されていない又は前記第１の基地局装置と異なるグループに含まれると判定された場合に、前記送信部は、前記端末装置の識別情報と、前記第１の基地局装置と同じグループに含まれる基地局装置が報知している該基地局装置の識別情報を受信していないことを表す情報とをデータ残量管理サーバへ送信し、前記データ量管理部は、前記第２の記憶部に記憶されるデータ量のうち、前記データ量付与管理サーバによって送信される前記端末装置の識別情報に対応するデータ量から増加させたデータ量を減算する、通信データ量管理システムである。
【００１１】
（７）本発明の一態様は、一又は複数のグループの識別情報と、該一又は複数のグループの各々に含まれる一又は複数の基地局装置の識別情報とを対応付けて記憶する第１の記憶部と、端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部とを備え、前記データ残量管理サーバは、複数の基地局装置の各々の識別情報と、複数の端末装置の識別情報と、該複数の端末装置の各々が利用できるデータ量とを対応付けて記憶する第２の記憶部に記憶されるデータ量のうち、前記送信部が送信した前記基地局装置の前記識別情報、及び前記端末装置の前記識別情報の組み合わせに対応するデータ量を増加させる、データ量付与管理サーバである。
【００１２】
（８）本発明の一態様は、複数の基地局装置の各々の識別情報と、複数の端末装置の識別情報と、該複数の端末装置の各々が利用できるデータ量とを対応付けて記憶する第１の記憶部と、該第１の記憶部に記憶されるデータ量のうち、データ量付与管理サーバによって送信される前記基地局装置の識別情報、及び前記端末装置の識別情報の組み合わせに対応するデータ量を増加させるデータ量管理部と、端末装置が送信するデータ通信要求が基地局装置によって受信された場合に、前記第１の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御する制御部とを備え、前記データ量付与管理サーバは、第１の基地局装置が報知している該第１の基地局装置の識別情報を受信した端末装置が送信する前記第１の基地局装置の識別情報を取得し、取得した前記第１の基地局装置の識別情報が、一又は複数のグループの識別情報と、該一又は複数のグループの各々に含まれる一又は複数の基地局装置の識別情報とを対応付けて記憶する第２の記憶部に記憶されていると判定した場合に、前記第１の基地局装置の識別情報に対応付けられたグループに含まれる基地局装置の識別情報と、前記端末装置の識別情報とをデータ残量管理サーバへ送信する、データ残量管理サーバである。
【００１３】
（９）本発明の一態様は、一又は複数のグループの識別情報と、該一又は複数のグループの各々に含まれる一又は複数の基地局装置の識別情報とを対応付けて記憶する第１の記憶部と、端末装置が第１の基地局装置が報知している該第１の基地局装置の識別情報を受信した場合に、該端末装置によって送信される該第１の基地局装置の識別情報を取得し、該第１の基地局装置の識別情報が前記第１の記憶部に記憶されているか否かを判定する判定部と、該判定部によって前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信する送信部とを備え、前記送信部は、端末装置によってデータ通信要求が基地局装置へ送信された場合に、該端末装置が送信する該端末装置の識別情報と該基地局装置の識別情報とをデータ残量管理サーバへ送信し、前記データ残量管理サーバは、複数の基地局装置の各々の識別情報と、複数の端末装置の識別情報と、該複数の端末装置の各々が利用できるデータ量とを対応付けて記憶する第２の記憶部に記憶されるデータ量のうち、前記送信部が送信した前記基地局装置の識別情報、及び前記端末装置の識別情報の組み合わせに対応するデータ量を増加させるデータ量付与管理サーバである。
【００１４】
（１０）本発明の一態様は、複数の基地局装置の各々の識別情報と、複数の端末装置の識別情報と、該複数の端末装置の各々が利用できるデータ量とを対応付けて記憶する第１の記憶部と、該第１の記憶部に記憶されるデータ量のうち、データ量付与管理サーバによって送信される基地局装置の識別情報、及び端末装置の識別情報の組み合わせに対応するデータ量を増加させるデータ量管理部と、前記第１の記憶部に記憶される前記端末装置の識別情報のうち、データ量付与管理サーバによって送信される前記端末装置の識別情報と前記基地局装置の識別情報との組み合わせに対応するデータ量に基づいて、データ通信要求を送信した前記端末装置によって行われるデータ通信を制御する制御部とを備え、前記データ量付与管理サーバは、第１の基地局装置が報知している該第１の基地局装置の識別情報を受信した端末装置が送信する前記第１の基地局装置の識別情報を取得し、取得した前記第１の基地局装置の識別情報が、一又は複数のグループの識別情報と、該一又は複数のグループの各々に含まれる一又は複数の基地局装置の識別情報とを対応付けて記憶する第１の記憶部に記憶されていると判定した場合に、前記第１の基地局装置の識別情報に対応付けられたグループに含まれる基地局装置の識別情報と、前記端末装置の識別情報とをデータ残量管理サーバへ送信する、データ残量管理サーバである。
【００１５】
（１１）本発明の一態様は、端末装置が第１の基地局装置が報知している該第１の基地局装置の識別情報を受信した場合に、データ量付与管理サーバが、該端末装置によって送信される該第１の基地局装置の識別情報を取得するステップと、前記データ量付与管理サーバが、該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、前記データ量付与管理サーバが、前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信するステップとを実行し、前記データ残量管理サーバが、複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、前記データ残量管理サーバが、端末装置が送信するデータ通信要求が基地局装置によって受信された場合に、前記第２の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御するステップと
を実行する、通信データ量管理方法である。
【００１６】
（１２）本発明の一態様は、端末装置が第１の基地局装置が報知している該第１の基地局装置の識別情報を受信した場合に、データ量付与管理サーバが、該端末装置によって送信される該第１の基地局装置の識別情報を取得し、該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、前記第１の基地局装置の識別情報が前記第１の記憶部に記憶されていると判定された場合に、データ量付与管理サーバが、前記第１の基地局装置の識別情報に対応付けられたグループに含まれる基地局装置の識別情報と、前記端末装置の識別情報とをデータ残量管理サーバへ送信するステップと、データ量付与管理サーバが、端末装置によってデータ通信要求が基地局装置へ送信された場合に、該端末装置が送信する該端末装置の識別情報と該基地局装置の識別情報とをデータ残量管理サーバへ送信するステップとを実行し、前記データ残量管理サーバが、複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、前記データ残量管理サーバが、前記第２の記憶部に記憶される前記端末装置の識別情報のうち、前記データ量付与管理サーバによって送信される前記端末装置の識別情報と前記基地局装置の識別情報との組み合わせに対応するデータ量に基づいて、前記データ通信要求を送信した前記端末装置によって行われるデータ通信を制御するステップとを実行する、通信データ量管理方法である。
【００１７】
（１３）本発明の一態様は、データ量付与管理サーバのコンピュータに、端末装置が第１の基地局装置が報知している該第１の基地局装置の識別情報を受信した場合に、該端末装置によって送信される該第１の基地局装置の識別情報を取得するステップと、該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、前記第１の基地局装置の識別情報が前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信するステップとを実行させ、前記データ残量管理サーバのコンピュータに、複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、端末装置が送信するデータ通信要求が基地局装置によって受信された場合に、前記第２の記憶部に記憶される前記複数の基地局装置の各々の識別情報のうち、該データ通信要求を受信した基地局装置によって送信される該基地局装置の識別情報に対応するデータ量に基づいて、該データ通信要求を送信した該端末装置によって行われるデータ通信を制御するステップとを実行させる、プログラムである。
【００１８】
（１４）本発明の一態様は、データ量付与管理サーバのコンピュータに、端末装置が第１の基地局装置が報知している該第１の基地局装置の識別情報を受信した場合に、該端末装置によって送信される該第１の基地局装置の識別情報を取得し、該第１の基地局装置の識別情報が一又は複数のグループの識別情報と、該一又は複数のグループの各々に含まれる一又は複数の基地局装置の識別情報とを対応付けて記憶する第１の記憶部に記憶されているか否かを判定するステップと、前記第１の基地局装置の識別情報が、前記第１の記憶部に記憶されていると判定された場合に、前記第１の基地局装置の識別情報に対応付けられたグループに含まれる基地局装置の識別情報と、前記端末装置の識別情報とをデータ残量管理サーバへ送信するステップと、端末装置によってデータ通信要求が基地局装置へ送信された場合に、該端末装置が送信する該端末装置の識別情報と該基地局装置の識別情報とをデータ残量管理サーバへ送信するステップとを実行させ、前記データ残量管理サーバのコンピュータに、複数の基地局装置の各々の識別情報と、複数の端末装置の識別情報と、該複数の端末装置の各々が利用できるデータ量とを対応付けて記憶する第２の記憶部に記憶されるデータ量のうち、前記データ量付与管理サーバによって送信される前記基地局装置の識別情報、及び前記端末装置の識別情報の組み合わせに対応するデータ量を増加させるステップと、前記第２の記憶部に記憶される前記端末装置の識別情報のうち、前記データ量付与管理サーバによって送信される前記端末装置の識別情報と前記基地局装置の識別情報との組み合わせに対応するデータ量に基づいて、前記データ通信要求を送信した前記端末装置によって行われるデータ通信を制御するステップとを実行させる、プログラムである。
【発明の効果】
【００１９】
本発明の実施形態によれば、特定の基地局装置の通信エリア内に端末装置のユーザが入ることを促すことができる。
【図面の簡単な説明】
【００２０】
【図１】本実施形態に係る無線通信システムの一例を示す図である。
【図２】本実施形態に係る端末装置の一例を示す図である。
【図３】本実施形態に係る基地局装置の一例を示す図である。
【図４】本実施形態に係る無線通信システムの機能ブロック図である。
【図５】データ付与判定テーブルの一例を示す図である。
【図６】利用データ量テーブルの一例を示す図である。
【図７】本実施形態に係る無線通信システムの動作を示す図である。
【図８】本実施形態に係る無線通信システムの動作を示す図である。
【図９】本実施形態に係る無線通信システムの機能ブロック図である。
【図１０】本実施形態に係る無線通信システムの動作を示す図である。
【図１１】本実施形態に係る無線通信システムの動作を示す図である。
【発明を実施するための形態】
【００２１】
＜第１の実施形態＞
＜無線通信システム＞
図１は、本実施形態に係る無線通信システムを示す。無線通信システムは、端末装置１００と、基地局装置２００ａと、基地局装置２００ｂと、基地局装置２００ｃと、セルラー基地局装置３００ａと、セルラー基地局装置３００ｂと、データ量付与管理サーバ４００と、データ残量管理サーバ５００とを備えている。
基地局装置２００ａ、基地局装置２００ｂ、及びデータ量付与管理サーバ４００は、インターネット等の通信網２０を介して接続される。また、セルラー基地局装置３００ａ、セルラー基地局装置３００ｂ、及びデータ残量管理サーバ５００は、セルラー通信網５０と接続される。セルラー通信網５０の一例はＬＴＥにしたがって構築された通信網である。ただし、セルラー通信網５０は、ＬＴＥにしたがって構築された通信網に限られず、ＬＴＥにしたがって構築された通信網以外の３Ｇ等の通信網を適用できる。図１においては、通信網２０とセルラー通信網５０との間に設けられるゲートウェイは省略される。
【００２２】
以下、基地局装置２００ａと基地局装置２００ｂと、基地局装置２００ｃとを区別しない場合には基地局装置２００と記載し、セルラー基地局装置３００ａとセルラー基地局装置３００ｂとを区別しない場合にはセルラー基地局装置３００と記載する。
端末装置１００は、音声や文字によって他の装置との間で相互に通信が可能な通信装置であり、端末装置１００の一例は、携帯電話、スマートフォン、タブレット端末等である。端末装置１００は、セルラー基地局装置３００と接続することによって、セルラー通信網５０を経由して、他の装置との間で相互に通信が可能である。また、端末装置１００は、基地局装置２００と接続することによって、通信網２０を経由して、他の装置との間で通信が可能である。例えば、端末装置１００は、無線ＬＡＮ、ブルートゥース、ＮＦＣ（Ｎｅａｒ  ｆｉｅｌｄ  ｒａｄｉｏ  ｃｏｍｍｕｎｉｃａｔｉｏｎ）等の近距離無線通信を行うことによって、基地局装置２００と通信を行う。
【００２３】
端末装置１００は、セルラー基地局装置３００が報知する報知情報を受信し、該報知情報に含まれるセルラー基地局装置３００の識別情報を取得する。端末装置１００は、セルラー基地局装置３００の識別情報を取得すると、該セルラー基地局装置３００の識別情報と、該端末装置１００の識別情報とをデータ量付与管理サーバ４００へ送信する。
基地局装置２００ａ、及び基地局装置２００ｂは、端末装置１００との間で近距離無線通信を行うとともに、通信網２０の末端となり、複数の端末装置間の通信を中継する。基地局装置２００ｃは該基地局装置２００ｃの位置情報を報知し、端末装置１００は該位置情報を受信する。セルラー基地局装置３００は、端末装置１００との間で無線通信を行うとともに、セルラー通信網５０の末端となり、複数の端末装置間の通信を交換機との間で中継する。
データ量付与管理サーバ４００は、一又は複数の基地局装置の識別情報と、該一又は複数の基地局装置の各々が属するグループの識別情報と、該グループに属する一又は複数の基地局装置の識別情報と、付与するデータ量とを対応付けて登録する。データ量付与管理サーバ４００は、端末装置１００によって送信されるセルラー基地局装置３００の識別情報を受信すると、該セルラー基地局装置３００の識別情報が登録されているか否かを判定する。
データ量付与管理サーバ４００は、セルラー基地局装置３００の識別情報が登録されていると判定した場合、該セルラー基地局装置３００の識別情報を送信した端末装置１００の識別情報と、該セルラー基地局装置３００の識別情報が属するグループの識別情報と、該グループに付与するデータ量を表す情報とをデータ残量管理サーバ５００へ送信する。
【００２４】
データ残量管理サーバ５００は、複数の端末装置の各々の識別情報と、該端末装置が受信した基地局装置の識別情報に対応する基地局装置が属するグループの識別情報と、該端末装置が該グループに属する基地局装置で利用可能データ量とを対応付けて記憶する。データ残量管理サーバ５００は、セルラー基地局装置３００の通信エリアに位置する端末装置１００によって行われるデータ通信を該端末装置１００の識別情報と該端末装置１００との間で通信を行う基地局装置の識別情報が属するグループの識別情報との組み合わせに対応する利用可能データ量に基づいて制御する。データ残量管理サーバ５００は、端末装置１００が利用したデータ量に応じて、利用可能データ量を減少させる。データ残量管理サーバ５００は、利用したデータ量が利用可能データ量に到達し、超過する場合、通信速度を制限する。
データ残量管理サーバ５００は、データ量付与管理サーバ４００によって送信される端末装置１００の識別情報と、該セルラー基地局装置３００の識別情報が属するグループの識別情報と、付与するデータ量を表す情報とを受信すると、該端末装置１００の識別情報と該グループの識別情報との組み合わせに対応する該端末装置１００の利用可能データ量を、該付与するデータ量を表す情報によって表されるデータ量だけ増加させる。
端末装置１００によって送信されるセルラー基地局装置の識別情報がデータ量付与管理サーバ４００に登録されている場合に、該セルラー基地局装置の属するグループについて、端末装置１００の利用可能データ量を増加させる。これによって、端末装置１００のユーザは、増加したデータ量を利用してデータ通信ができるため、基地局装置が報知する報知情報を受信しようとするインセンティブが働く。このため、例えば、店舗に基地局装置を設置した場合に、ユーザに対して、その店舗に入ることを促すことができる。
【００２５】
＜端末装置の構成＞
図２は、本実施形態に係る端末装置１００のハードウェア構成の一例を示す。端末装置１００は、ＣＰＵ２０２と、メモリ２０４と、不揮発性メモリ２０６と、ディスプレイ２１０と、操作部２１２と、記録媒体Ｉ／Ｆ２１４と、通信Ｉ／Ｆ２１６と、内部バス２１８とを備えている。
ＣＰＵ２０２は、例えば不揮発性メモリ２０６に格納されるプログラム２０６２を実行し、メモリ２０４をワークメモリとして使用して、端末装置１００の各部を制御する。メモリ２０４は、半導体素子を利用した揮発性のメモリ等のＲＡＭによって構成され、ＣＰＵ２０２のワークメモリとして使用される。不揮発性メモリ２０６は、例えばハードディスク（ＨＤ）やＲＯＭ等によって構成される。不揮発性メモリ２０６には、ＣＰＵ２０２によって実行されるプログラム２０６２が格納される。ディスプレイ２１０は、ＣＰＵ２０２によって制御され、画像、ＧＵＩ（Ｇｒａｐｈｉｃａｌ  Ｕｓｅｒ  Ｉｎｔｅｒｆａｃｅ）等を表示する。ＣＰＵ２０２は、プログラムを実行することによって制御信号や、ディスプレイ２１０に表示する画像を表す映像信号を生成する。ＣＰＵ２０２は、画像を表す映像信号をディスプレイ２１０へ出力する。ディスプレイ２１０は、ＣＰＵ２０２によって出力された映像信号を処理することによって、映像を表示する。操作部２１２は、ユーザの操作を受け付ける入力デバイスである。記録媒体Ｉ／Ｆ２１４は、メモリカード、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の記録媒体２２０が装着可能であり、ＣＰＵ２０２の制御によって、記録媒体Ｉ／Ｆ２１４に装着された記録媒体２２０からのデータの読み出しや、該記録媒体２２０へのデータの書き込みを行う。通信Ｉ／Ｆ２１６は、外部機器や、通信網２０に接続された基地局装置２００や、セルラー通信網５０に接続されたセルラー基地局装置３００等と通信して、ファイル、コマンド、映像データ、音声データ等の各種コンテンツの送受信を行うためのインターフェースである。内部バス２１８は、ＣＰＵ２０２、メモリ２０４、不揮発性メモリ２０６、ディスプレイ２１０、操作部２１２、記録媒体Ｉ／Ｆ２１４、通信Ｉ／Ｆ２１６を互いに接続する。内部バス２１８に接続される各部は、内部バス２１８を介して互いにデータのやり取りを行うことができるようにされている。
【００２６】
＜基地局装置の構成＞
図３は、基地局装置２００のハードウェア構成の一例を示す。基地局装置２００は、ＣＰＵ３０２と、メモリ３０４と、不揮発性メモリ３０６と、通信Ｉ／Ｆ３１６と、内部バス３１８とを備えている。
ＣＰＵ３０２は、例えば不揮発性メモリ３０６に格納されるプログラムを実行し、メモリ３０４をワークメモリとして使用して、基地局装置２００の各部を制御する。メモリ３０４は、半導体素子を利用した揮発性のメモリ等のＲＡＭによって構成される。メモリ３０４は、ＣＰＵ３０２のワークメモリとして使用される。不揮発性メモリ３０６は、例えばハードディスクやＲＯＭ等によって構成され、ＣＰＵ３０２によって実行されるプログラム３０６２が格納される。通信Ｉ／Ｆ３１６は、端末装置１００等の外部機器と通信して、ファイル、コマンド、映像データ、音声データ等の各種コンテンツの送受信を行うためのインターフェースである。内部バス３１８は、ＣＰＵ３０２、メモリ３０４、不揮発性メモリ３０６、通信Ｉ／Ｆ３１６を互いに接続する。内部バス３１８に接続される各部は、内部バス３１８を介して互いにデータのやりとりを行うことができるようにされている。
【００２７】
＜セルラー基地局装置、データ量付与管理サーバ、及びデータ残量管理サーバの構成＞
セルラー基地局装置３００、データ量付与管理サーバ４００、及びデータ残量管理サーバ５００のハードウェア構成は、図３を適用できる。ただし、セルラー基地局装置３００の不揮発性メモリ３０６にはセルラー基地局装置３００のＣＰＵ３０２によって実行されるプログラム３０６２が格納される。また、データ量付与管理サーバ４００の不揮発性メモリ３０６にはデータ量付与管理サーバ４００のＣＰＵ３０２によって実行されるプログラム３０６２が格納される。また、データ残量管理サーバ５００の不揮発性メモリ３０６にはデータ残量管理サーバ５００のＣＰＵ３０２によって実行されるプログラム３０６２が格納される。
【００２８】
＜本実施形態に係る無線通信システムの機能構成＞
図４は、本実施形態の無線通信システムを構成する端末装置１００、基地局装置２００、セルラー基地局装置３００、データ量付与管理サーバ４００、及びデータ残量管理サーバ５００の機能ブロック図である。
【００２９】
＜端末装置の機能構成＞
端末装置１００は、無線通信部１５２、近距離無線通信部１５４、通信制御部１５６、操作検出部１５８、表示制御部１６２、記憶部１６４、及び上記各構成要素を図４に示されているように電気的に接続するためのアドレスバスやデータバス等のバスライン１６６を有している。これらの各部は、図４に示されている各構成要素のいずれかが、不揮発性メモリ２０６からメモリ２０４上に展開されたプログラム２０６２を実行するＣＰＵ２０２からの命令によって動作することで実現される機能である。
＜端末装置の各機能構成＞
図２及び図４を用いて、端末装置１００の各機能構成について詳細に説明する。なお、以下では、端末装置１００の各機能構成を説明するにあたって、図２に示されている各構成要素のうち、端末装置１００の各機能構成を実現させるための主なハードウェアとの関係も説明する。
端末装置１００の無線通信部１５２は、ＣＰＵ２０２からの命令、及び通信Ｉ／Ｆ２１６によって実現される。無線通信部１５２は、セルラー基地局装置３００等の他の装置との間で各種データの送受信を行う。近距離無線通信部１５４は、ＣＰＵ２０２からの命令、及び通信Ｉ／Ｆ２１６によって実現される。近距離無線通信部１５４は、基地局装置２００等の他の装置との間で各種データの送受信を行う。通信制御部１５６は、ＣＰＵ２０２がアプリを実行することによって出力する命令、及び通信Ｉ／Ｆ２１６によって実現される。通信制御部１５６は、無線通信部１５２とセルラー基地局装置３００との間での接続処理や、通信制御を行う。また、通信制御部１５６は、近距離無線通信部１５４と基地局装置２００との間での接続処理や、通信制御を行う。通信制御部１５６は、セルラー基地局装置３００によって報知される報知情報が無線通信部１５２によって受信された場合に、該報知情報に付帯されるセルラー基地局装置３００の識別情報を取得する。そして、通信制御部１５６は、後述する記憶部１６４に格納されている端末装置１００の識別情報を取得する。通信制御部１５６は、セルラー基地局装置３００の識別情報と、端末装置１００の識別情報とを無線通信部１５２からデータ量付与管理サーバ４００へ送信する。
【００３０】
また、通信制御部１５６は、後述する操作検出部１５８によってデータ通信を要求する操作を検出したことが通知された場合に、端末装置１００の識別情報を付帯したデータ通信要求を作成する。通信制御部１５６は、無線通信部１５２からセルラー基地局装置３００へ、データ通信要求を送信する。操作検出部１５８は、ＣＰＵ２０２からの命令、及び操作部２１２によって実現される。操作検出部１５８は、利用者による各種入力を検出する。例えば、操作検出部１５８は、ユーザによって行われるデータ通信を要求する操作を検出する。操作検出部１５８は、データ通信を要求する操作を検出したことを通信制御部１５６へ通知する。表示制御部１６２は、ＣＰＵ２０２からの命令、及びディスプレイ２１０によって実現される。表示制御部１６２は、ディスプレイ２１０にコンテンツを表示する制御を行う。記憶部１６４は、不揮発性メモリ２０６によって実現される。記憶部１６４は、端末装置１００の識別情報等を記憶する。
【００３１】
＜基地局装置の機能構成＞
基地局装置２００は、通信部２５２、通信制御部２５６、近距離無線通信部２６０、記憶部２６２、及び上記各構成要素を図４に示されているように電気的に接続するためのアドレスバスやデータバス等のバスライン２６４を有している。これらの各部は、図４に示されている各構成要素のいずれかが、基地局装置２００において、不揮発性メモリ３０６からメモリ３０４上に展開されたプログラム３０６２を実行するＣＰＵ３０２からの命令によって動作することで実現される機能である。
【００３２】
＜基地局装置の各機能構成＞
図３及び図４を用いて、基地局装置２００の各機能構成について詳細に説明する。なお、以下では、基地局装置２００の各機能構成を説明するにあたって、図３に示されている各構成要素のうち、基地局装置２００の各機能構成を実現させるための主なハードウェアとの関係も説明する。
通信部２５２は、ＣＰＵ３０２からの命令、及び通信Ｉ／Ｆ３１６によって実現される。通信部２５２は、通信網２０を介して、データ量付与管理サーバ４００等の他の装置との間で各種データの送受信を行う。通信制御部２５６は、ＣＰＵ３０２からの命令、及び通信Ｉ／Ｆ３１６によって実現される。通信制御部２５６は、近距離無線通信部２６０と、端末装置１００の近距離無線通信部１５４との間で近距離無線通信による接続処理や、通信制御を行う。近距離無線通信部２６０は、ＣＰＵ３０２からの命令、及び通信Ｉ／Ｆ３１６によって実現される。近距離無線通信部２６０は、近距離無線通信によって、端末装置１００等の他の装置との間で各種データの送受信を行う。記憶部２６２は、不揮発性メモリ２０６によって実現される。記憶部２６２は、基地局装置２００の識別情報を記憶する。
【００３３】
＜セルラー基地局装置の機能構成＞
セルラー基地局装置３００は、通信部３５２、通信制御部３５４、無線通信部３６０、記憶部３６２、及び上記各構成要素を図４に示されているように電気的に接続するためのアドレスバスやデータバス等のバスライン３６４を有している。これらの各部は、図４に示されている各構成要素のいずれかが、セルラー基地局装置３００において、不揮発性メモリ３０６からメモリ３０４上に展開されたプログラム３０６２を実行するＣＰＵ３０２からの命令によって動作することで実現される機能である。
＜セルラー基地局装置の各機能構成＞
図３及び図４を用いて、セルラー基地局装置３００の各機能構成について詳細に説明する。なお、以下では、セルラー基地局装置３００の各機能構成を説明するにあたって、図３に示されている各構成要素のうち、セルラー基地局装置３００の各機能構成を実現させるための主なハードウェアとの関係も説明する。
通信部３５２は、ＣＰＵ３０２からの命令、及び通信Ｉ／Ｆ３１６によって実現される。通信部３５２は、セルラー通信網５０に接続されるデータ残量管理サーバ５００等の他の装置との間で各種データの送受信を行う。さらに、通信部３５２は、セルラー通信網５０を介して通信網２０に接続されるデータ量付与管理サーバ４００等の他の装置との間で各種データの送受信を行う。通信制御部３５４は、ＣＰＵ３０２からの命令、及び通信Ｉ／Ｆ３１６によって実現される。通信制御部３５４は、無線通信部３６０と、端末装置１００の無線通信部１５２との間で無線通信による接続処理や、通信制御を行う。通信制御部３５４は、通信部３５２と、データ残量管理サーバ５００の通信部５５２との間での接続処理や、通信制御を行う。通信制御部３５４は、セルラー基地局装置３００の識別情報を付帯した報知情報を作成し、無線通信部３６０から報知する制御を行う。また、通信制御部３５４は、端末装置１００によって送信されるデータ通信要求が無線通信部３６０に受信された場合に、該データ通信要求に付帯される端末装置１００の識別情報をデータ残量管理サーバ５００へ送信する。無線通信部３６０は、ＣＰＵ３０２からの命令、及び通信Ｉ／Ｆ３１６によって実現される。無線通信部３６０は、端末装置１００等の他の装置との間で、ＬＴＥ等の通信規格にしたがって各種データの送受信を行う。記憶部３６２は、不揮発性メモリ３０６によって実現される。記憶部３６２は、セルラー基地局装置３００の識別情報を記憶する。
【００３４】
＜データ量付与管理サーバの機能構成＞
データ量付与管理サーバ４００は、通信部４５２、通信制御部４５４、データ量付与判定部４５６、記憶部４５８、及び上記各構成要素を図４に示されているように電気的に接続するためのアドレスバスやデータバス等のバスライン４６０を有している。これらの各部は、図４に示されている各構成要素のいずれかが、データ量付与管理サーバ４００において、不揮発性メモリ３０６からメモリ３０４上に展開されたプログラム３０６２を実行するＣＰＵ３０２からの命令によって動作することで実現される機能である。
＜データ量付与管理サーバの各機能構成＞
図３及び図４を用いて、データ量付与管理サーバ４００の各機能構成について詳細に説明する。なお、以下では、データ量付与管理サーバ４００の各機能構成を説明するにあたって、図３に示されている各構成要素のうち、データ量付与管理サーバ４００の各機能構成を実現させるための主なハードウェアとの関係も説明する。
通信部４５２は、ＣＰＵ３０２からの命令、及び通信Ｉ／Ｆ３１６によって実現される。通信部４５２は、通信網２０を介して、基地局装置２００等の他の装置との間で各種データの送受信を行う。また、通信部４５２は、通信網２０、及びセルラー通信網５０を介して、データ残量管理サーバ５００等の他の装置との間で各種データの送受信を行う。また、通信部４５２は、端末装置１００によって送信される端末装置１００の識別情報と、セルラー基地局装置３００の識別情報とを受信すると、該端末装置１００の識別情報と、該セルラー基地局装置３００の識別情報とをデータ量付与判定部４５６へ出力する。通信制御部４５４は、ＣＰＵ３０２からの命令、及び通信Ｉ／Ｆ３１６によって実現される。通信制御部４５４は、通信部４５２と、基地局装置２００の通信部２５２との間での接続処理や、通信制御を行う。また、通信制御部４５４は、後述するデータ量付与判定部４５６によって出力される端末装置１００の識別情報と、該端末装置１００が受信した報知情報を送信したセルラー基地局装置３００の識別情報が属するグループに含まれる基地局装置の識別情報と、付与するデータ量を表す情報とを通信部４５２からデータ残量管理サーバ５００へ送信する制御を行う。また、通信制御部４５４は、後述するデータ量付与判定部４５６によって出力されるデータ量を付与することを通知する情報を通信部４５２から端末装置１００へ送信する制御を行う。記憶部４５８は、不揮発性メモリ３０６によって実現される。記憶部４５８は、データ付与判定テーブル４５８２を格納する。
【００３５】
＜データ付与判定テーブル＞
図５は、データ付与判定テーブルの一例を示す。データ付与判定テーブルには、一又は複数の基地局装置の識別情報と、該一又は複数の基地局装置の各々が属するグループの識別情報と、該グループに属する一又は複数の基地局装置の識別情報と、該グループに付与するデータ量とが対応付けられて記憶される。図５に示される例では、基地局装置の識別情報「１１１」と、該基地局装置が属するグループの識別情報「Ｇ０１」と、該グループに属する基地局装置の識別情報「１１１」、「２２２」及び「３３３」と、付与するデータ量「１ＧＢ」とが対応付けられている。図４に戻り説明を続ける。
【００３６】
データ量付与判定部４５６は、ＣＰＵ３０２からの命令によって実現される。データ量付与判定部４５６は、通信部４５２によって供給されるセルラー基地局装置の識別情報が、データ付与判定テーブル４５８２のグループに属する基地局装置の識別情報に存在するか否かを判定する。具体的には、端末装置１００から、セルラー基地局装置の識別情報として「１１１」、「２２２」、及び「３３３」のいずれかを受信した場合、データ量付与判定部４５６は、存在すると判定する。仮に、セルラー基地局装置３００ａの識別情報が「１１１」であり、セルラー基地局装置３００ｂの識別情報が「４４４」である場合について説明する。端末装置１００からセルラー基地局装置３００ａの識別情報「１１１」を受信した場合には、データ量付与判定部４５６は存在すると判定する。また、端末装置１００からセルラー基地局装置３００ｂの識別情報「４４４」を受信した場合には、データ量付与判定部４５６は存在しないと判定する。
【００３７】
データ量付与判定部４５６は、セルラー基地局装置の識別情報がデータ付与判定テーブル４５８２に存在すると判定した場合、該セルラー基地局装置の識別情報が属するグループの識別情報と、該グループに付与するデータ量を表す情報とを取得する。上記の場合には、端末装置１００からセルラー基地局装置３００ａの識別情報「１１１」を受信しているので、データ量付与判定部４５６は、該識別情報「１１１」によって表されるセルラー基地局装置３００ａが属するグループの識別情報「Ｇ０１」と、該グループに付与するデータ量「１ＧＢ」を取得する。
データ量付与判定部４５６は、端末装置１００の識別情報と、セルラー基地局装置の識別情報が属するグループの識別情報と、該グループに付与するデータ量を表す情報とを通信制御部４５４へ出力する。さらに、データ量付与判定部４５６は、データ量を付与することを通知する情報を作成し、通信制御部４５４へ出力する。一方、データ量付与判定部４５６は、セルラー基地局装置の識別情報がデータ付与判定テーブル４５８２に存在しないと判定した場合、該セルラー基地局装置の識別情報が属するグループにデータ量を付与している状態であるか否かを判定する。データ量付与判定部４５６は、データ量を付与している状態である場合には、端末装置１００の識別情報と、該基地局装置の識別情報が属するグループに含まれる基地局装置から報知情報を受信していないことを表す情報とを通信制御部４５４へ出力する。
データ量付与判定部４５６は、データ量を付与していない状態である場合には、通信部４５２によって供給された端末装置１００の識別情報とセルラー基地局装置の識別情報とを破棄する。
【００３８】
＜データ残量管理サーバの機能構成＞
データ残量管理サーバ５００は、通信部５５２、通信制御部５５４、データ量管理部５５６、記憶部５５８、及び上記各構成要素を図４に示されているように電気的に接続するためのアドレスバスやデータバス等のバスライン５６０を有している。これらの各部は、図４に示されている各構成要素のいずれかが、データ残量管理サーバ５００において、不揮発性メモリ３０６からメモリ３０４上に展開されたプログラム３０６２を実行するＣＰＵ３０２からの命令によって動作することで実現される機能である。
【００３９】
＜データ残量管理サーバの各機能構成＞
図３及び図４を用いて、データ残量管理サーバ５００の各機能構成について詳細に説明する。なお、以下では、データ残量管理サーバ５００の各機能構成を説明するにあたって、図３に示されている各構成要素のうち、データ残量管理サーバ５００の各機能構成を実現させるための主なハードウェアとの関係も説明する。
通信部５５２は、ＣＰＵ３０２からの命令、及び通信Ｉ／Ｆ３１６によって実現される。通信部５５２は、セルラー通信網５０を介して、セルラー基地局装置３００等の他の装置との間で各種データの送受信を行う。また、通信部５５２は、セルラー通信網５０、及び通信網２０を介して、基地局装置２００、データ残量管理サーバ５００等の他の装置との間で各種データの送受信を行う。また、通信部５５２は、データ量付与管理サーバ４００によって送信される端末装置の識別情報と、セルラー基地局装置の識別情報が属するグループの識別情報と、該グループに付与するデータ量を表す情報とを受信すると、端末装置の識別情報と、該セルラー基地局装置の識別情報が属するグループの識別情報と、該グループに付与するデータ量を表す情報とをデータ量管理部５５６へ出力する。記憶部５５８は、不揮発性メモリ３０６によって実現される。記憶部５５８は、利用データ量テーブル５５８２を格納する。
【００４０】
＜利用データ量テーブル＞
図６は、利用データ量テーブル５５８２の一例を示す。利用データ量テーブル５５８２には、端末装置の識別情報と、該端末装置が受信した基地局装置の識別情報に対応する基地局装置が属するグループの識別情報と、該端末装置が該グループに属する基地局装置で利用可能データ量を表す情報とが対応付けられる。図６に示される例では、端末装置の識別情報「ａａａ」と、該端末装置が受信した基地局装置の識別情報に対応する基地局装置が属するグループの識別情報「Ｇ０１」と、利用可能データ量「１ＧＢ」とが対応付けられている。
さらに、記憶部５５８は、複数のグループの識別情報と、該複数のグループの識別情報に対応するグループの各々に属する基地局装置の識別情報とを対応付けたテーブルを格納する。つまり、記憶部５５８は、図５を参照して説明したデータ付与判定テーブル４５８２において、グループの識別情報の欄と、グループに属する基地局装置の識別情報の欄とからなるテーブルを格納する。図４に戻り説明を続ける。
【００４１】
データ量管理部５５６は、ＣＰＵ３０２からの命令によって実現される。データ量管理部５５６は、通信部５５２によって供給される端末装置の識別情報と、セルラー基地局装置の識別情報が属するグループの識別情報と、該グループに付与するデータ量を表す情報とに基づいて、利用データ量テーブル５５８２に含まれる利用可能データ量を変更する。一例として、端末装置の識別情報「ａａａ」と、セルラー基地局装置の識別情報が属するグループの識別情報「Ｇ０１」と、該グループに付与するデータ量を表す情報「１ＧＢ」とが通信部５５２によって受信された場合について説明する。この場合、通信部５５２は、データ量管理部５５６へ、端末装置の識別情報「ａａａ」と、セルラー基地局装置の識別情報が属するグループの識別情報「Ｇ０１」と、該グループに付与するデータ量を表す情報「１ＧＢ」とを出力する。
データ量管理部５５６は、利用データ量テーブル５５８２を参照し、通信部５５２によって供給された端末装置の識別情報「ａａａ」と、グループの識別情報「Ｇ０１」との組み合わせに対応する利用可能データ量「３ＧＢ」を特定し、該「３ＧＢ」に通信部５５２によって供給された付与するデータ量「１ＧＢ」を加算する。そして、データ量管理部５５６は、加算した値「４ＧＢ」を、端末装置１００の識別情報「ａａａ」とグループの識別情報「Ｇ０１」との組み合わせに対応する利用データ量の欄に格納する。
【００４２】
通信制御部５５４は、ＣＰＵ３０２からの命令、及び通信Ｉ／Ｆ３１６によって実現される。通信制御部５５４は、通信部５５２と、データ量付与管理サーバ４００の通信部４５２との間での接続処理や、通信制御を行う。通信制御部５５４は、通信部５５２と、セルラー基地局装置３００の通信部３５２との間での接続処理や、通信制御を行う。また、通信制御部５５４は、利用データ量テーブル５５８２に格納されている利用可能データ量のうち、端末装置１００が送信したデータ通信要求を受信したセルラー基地局装置３００によって送信される該端末装置１００の識別情報と該セルラー基地局装置の識別情報が属するグループの識別情報との組み合わせに対応する利用可能データ量に基づいて、該データ通信要求を送信した該端末装置１００によって行われるデータ通信を制御する。データ通信を制御する際に、通信制御部５５４は、複数のグループの識別情報と、該複数のグループの識別情報に対応するグループの各々に属する基地局装置の識別情報とを対応付けたテーブルから、端末装置１００が送信したデータ通信要求を受信したセルラー基地局装置３００によって送信される該セルラー基地局装置の識別情報に対応するグループを求める。具体的には、通信制御部５５４は、端末装置１００が利用したデータ量に応じて、記憶部５５８に記憶される利用データ量テーブル５５８２において、端末装置１００の識別情報に対応する利用可能データ量を減少させる。通信制御部５５４は、利用可能データ量を減少させる場合、付与されたデータ量から減少させるようにしてもよい。そして、通信制御部５５４は、利用したデータ量が利用可能データ量に到達し、超過する場合、通信速度を制限する。通信速度を制限する場合、通信制御部５５４は、通信速度を制限することを表す情報を作成し、通信部５５２から端末装置１００へ送信する。この通信速度を制限することを表す情報は、セルラー基地局装置３００を経由して端末装置１００へ送信される。
【００４３】
＜本実施形態に係る無線通信システムの動作＞
図７は、本実施形態に係る無線通信システムの動作の一例を示す。
ステップＳ７０２では、セルラー基地局装置３００の通信制御部３５４は、セルラー基地局装置３００の識別情報を付帯した報知情報を生成する。セルラー基地局装置３００の無線通信部３６０は、通信制御部３５４が生成した報知情報を報知する。
ステップＳ７０４では、端末装置１００の無線通信部１５２は、セルラー基地局装置３００が報知する報知情報を受信する。端末装置１００の通信制御部１５６は、報知情報に付帯されるセルラー基地局装置３００の識別情報を取得する。そして、通信制御部１５６は、セルラー基地局装置３００の識別情報と、端末装置１００の識別情報とを近距離無線通信部１５４からデータ量付与管理サーバ４００へ送信する。セルラー基地局装置３００の識別情報と、端末装置１００の識別情報とは、セルラー基地局装置３００を経由して、データ量付与管理サーバ４００へ送信される。データ量付与管理サーバ４００の通信部４５２は、端末装置１００が送信する端末装置１００の識別情報と、セルラー基地局装置３００の識別情報とを受信する。
【００４４】
ステップＳ７０６では、データ量付与管理サーバ４００のデータ量付与判定部４５６は、通信部４５２から端末装置１００の識別情報と、セルラー基地局装置３００の識別情報とが供給されると、該セルラー基地局装置３００の識別情報が、データ付与判定テーブル４５８２に存在するか否かを判定する。データ量付与判定部４５６は、該セルラー基地局装置３００の識別情報が、データ付与判定テーブル４５８２に存在しないと判定した場合、データを付与しないと判定する。ここでは、後述する図８のステップＳ８０２へ移行する。
ステップＳ７０８は、ステップＳ７０６において、データ量付与判定部４５６が、該セルラー基地局装置３００の識別情報がデータ付与判定テーブル４５８２に存在すると判定した場合に実行される。ステップＳ７０８では、データ量付与判定部４５６は、データ付与判定テーブル４５８２から、該セルラー基地局装置３００の識別情報が属するグループの識別情報と、該グループに付与するデータ量を表す情報とを取得する。そして、データ量付与判定部４５６は、端末装置１００の識別情報と、該セルラー基地局装置３００の識別情報が属するグループの識別情報と、該グループに付与するデータ量を表す情報とを通信制御部４５４へ出力する。通信制御部４５４は、通信部４５２からデータ残量管理サーバ５００へ端末装置１００の識別情報と、該セルラー基地局装置３００の識別情報が属するグループの識別情報と、該グループに付与するデータ量を表す情報とを送信する。データ量付与管理サーバ４００によって送信される端末装置１００の識別情報と、該セルラー基地局装置３００の識別情報が属するグループの識別情報と、該グループに付与するデータ量を表す情報とは、データ残量管理サーバ５００の通信部５５２によって受信される。
【００４５】
ステップＳ７１０では、データ量付与管理サーバ４００のデータ量付与判定部４５６は、データ量を付与することを通知する情報を作成し、通信制御部４５４へ出力する。通信制御部４５４は、データ量を付与することを通知する情報を通信部４５２から端末装置１００へ送信する。
ステップＳ７１２では、データ残量管理サーバ５００のデータ量管理部５５６は、通信部５５２によって供給される端末装置１００の識別情報と、該セルラー基地局装置３００の識別情報が属するグループの識別情報と、該グループに付与するデータ量を表す情報とに基づいて、記憶部５５８に記憶される利用データ量テーブル５５８２において、該端末装置１００の識別情報と該グループの識別情報との組み合わせに対応する利用可能データ量を付与するデータ量だけ増加させる。
ステップＳ７１４では、端末装置１００の通信制御部１５６は、端末装置１００の識別情報を付帯したデータ通信要求を作成し、無線通信部１５２からセルラー基地局装置３００へ送信する。
【００４６】
ステップＳ７１６では、セルラー基地局装置３００の無線通信部３６０は、端末装置１００によって送信されるデータ通信要求を受信する。セルラー基地局装置３００の通信制御部３５４は、無線通信部３６０によって受信されたデータ通信要求にセルラー基地局装置３００の識別情報を付帯し、通信部３５２からデータ残量管理サーバ５００へ送信する。
ステップＳ７１８では、データ残量管理サーバ５００の通信部５５２は、セルラー基地局装置３００によって送信されたデータ通信要求を受信する。データ残量管理サーバ５００の通信制御部５５４は、記憶部５５８に記憶された利用データ量テーブル５５８２に格納されている利用可能データ量のうち、データ通信要求に付帯される端末装置の識別情報とセルラー基地局装置３００の属するグループの識別情報との組み合わせに対応する利用可能データ量に基づいて、該データ通信要求を送信した該端末装置によって行われるデータ通信を制御する。
【００４７】
図８を参照し、説明を続ける。
ステップＳ８０２は、ステップＳ７０６において、データ量付与判定部４５６が、セルラー基地局装置３００の識別情報がデータ付与判定テーブル４５８２に存在しないと判定した場合に実行される。ステップＳ８０２では、データ量付与管理サーバ４００のデータ量付与判定部４５６は、端末装置１００へデータ量を付与した状態であるか否かを判定する。付与していないと判定した場合、データ量付与判定部４５６は、データ量を付与する処理を終了する。データ量付与判定部４５６は、通信部４５２によって供給された端末装置１００の識別情報と、セルラー基地局装置３００の識別情報とを破棄するようにしてもよい。
【００４８】
ステップＳ８０４は、ステップＳ８０２において、端末装置１００へデータ量を付与した状態であると判定した場合に実行される。つまり、ステップＳ８０４は、過去に端末装置１００へデータ量を付与した際に該端末装置１００が受信していた報知情報を報知していた基地局装置が属するグループに含まれる基地局装置の識別情報を端末装置１００が送信しなかった場合に実行される。ステップＳ８０４では、データ量付与判定部４５６は、端末装置１００の識別情報と、セルラー基地局装置３００の識別情報が属するグループに含まれる基地局装置からの報知情報を受信していないことを表す情報とを通信制御部４５４へ出力する。通信制御部４５４は、通信部４５２からデータ残量管理サーバ５００へ端末装置１００の識別情報と、セルラー基地局装置３００の識別情報が属するグループに含まれる基地局装置からの報知情報を受信していないことを表す情報とを送信する。データ量付与管理サーバ４００によって送信される端末装置１００の識別情報と、セルラー基地局装置３００の識別情報が属するグループに含まれる基地局装置からの報知情報を受信していないことを表す情報とは、データ残量管理サーバ５００の通信部５５２によって受信される。
【００４９】
ステップＳ８０６では、データ残量管理サーバ５００のデータ量管理部５５６は、通信部５５２によって供給される端末装置１００の識別情報と、セルラー基地局装置３００の識別情報が属するグループに含まれる基地局装置からの報知情報を受信していないことを表す情報とに基づいて、記憶部５５８に記憶される利用データ量テーブル５５８２において、該端末装置１００の識別情報に対応する利用可能データ量のうち増加させたデータ量を使用不可とする。データ量管理部５５６は、利用データ量テーブル５５８２において、該端末装置１００の識別情報に対応する利用可能データ量のうち増加させたデータ量を減算するようにしてもよい。
【００５０】
上述した実施形態では、データ残量管理サーバ５００に、複数のグループの識別情報と、該複数のグループの識別情報に対応するグループの各々に属する基地局装置の識別情報とを対応付けたテーブルを格納する場合について説明したが、この例に限られない。例えば、データ量付与管理サーバ４００からデータ残量管理サーバ５００へ、端末装置１００の識別情報と、セルラー基地局装置の識別情報が属するグループの識別情報と、該グループに付与するデータ量を表す情報とに加え、該グループに属する基地局装置の識別情報を送信するようにしてもよい。これによって、データ残量管理サーバ５００に、複数のグループの識別情報と、該複数のグループの識別情報に対応するグループの各々に属する基地局装置の識別情報とを対応付けたテーブルを備えることなく実現できる。
本実施形態に係る無線通信システムによれば、セルラー基地局装置３００は、該セルラー基地局装置３００の識別情報を付帯した報知情報を報知する。端末装置１００は、該報知情報を受信した場合に、該報知情報に付帯されるセルラー基地局装置３００の識別情報と、端末装置１００の識別情報とをデータ量付与管理サーバ４００へ送信する。データ量付与管理サーバ４００は、端末装置１００へデータ量を付与するか否かを判定する。データ量付与管理サーバ４００は、データ量を付与すると判定した場合、端末装置１００の識別情報と、セルラー基地局装置３００の識別情報が属するグループの識別情報と、該グループに付与するデータ量を表す情報とをデータ残量管理サーバ５００へ通知する。
【００５１】
データ残量管理サーバ５００は、データ量付与管理サーバ４００によって送信された端末装置１００の識別情報と、セルラー基地局装置３００の識別情報が属するグループの識別情報と、該グループに付与するデータ量を表す情報とに基づいて、該端末装置１００の識別情報と該グループの識別情報との組み合わせに対応する利用可能データ量を増加させる。つまり、特定の基地局装置２００によって報知される報知情報を受信できる通信エリアに端末装置１００が入った場合、該特定の基地局装置２００が属するグループに含まれる基地局装置の通信エリアで通信する場合に、該端末装置１００へデータ量が付与される。このため、端末装置１００のユーザに対して、基地局装置２００が属するグループに含まれる通信エリアへ入ることを促すことができる。例えば、店舗に基地局装置２００を設置することによって、該店舗へ端末装置１００のユーザが入ることを促すことができる。さらに、特定の基地局装置２００が属するグループ含まれる基地局装置の通信エリアから出た場合には、付与されたデータ量が使用不可とされるため、特定の基地局装置２００が設置された店舗にユーザが居続けることを促すことができる。
【００５２】
＜第２の実施形態＞
＜無線通信システム＞
本実施形態に係る無線通信システムは、図１−図３を適用できる。ただし、データ量付与管理サーバ４００の代わりにデータ量付与管理サーバ６００を備え、データ残量管理サーバ５００の代わりにデータ残量管理サーバ７００を備え、基地局装置２００の代わりに基地局装置８００を備える。
【００５３】
＜本実施形態に係る無線通信システムの機能構成＞
図９は、本実施形態の無線通信システムを構成する端末装置１００、基地局装置８００、セルラー基地局装置３００、データ量付与管理サーバ６００、及びデータ残量管理サーバ７００の機能ブロック図である。
【００５４】
＜基地局装置の機能構成＞
基地局装置８００は、通信部８５２、通信制御部８５６、近距離無線通信部８６０、記憶部８６２、及び上記各構成要素を図９に示されているように電気的に接続するためのアドレスバスやデータバス等のバスライン８６４を有している。これらの各部は、図９に示されている各構成要素のいずれかが、基地局装置８００において、不揮発性メモリ３０６からメモリ３０４上に展開されたプログラム３０６２を実行するＣＰＵ３０２からの命令によって動作することで実現される機能である。
【００５５】
＜基地局装置の各機能構成＞
図３及び図９を用いて、基地局装置８００の各機能構成について詳細に説明する。なお、以下では、基地局装置８００の各機能構成を説明するにあたって、図３に示されている各構成要素のうち、基地局装置８００の各機能構成を実現させるための主なハードウェアとの関係も説明する。図９に示されている基地局装置８００の通信部８５２、近距離無線通信部８６０、及び記憶部８６２は、基地局装置２００の通信部２５２、近距離無線通信部２６０、及び記憶部２６２を適用できる。
通信制御部８５６は、ＣＰＵ３０２からの命令、及び通信Ｉ／Ｆ３１６によって実現される。通信制御部８５６は、近距離無線通信部８６０と、端末装置１００の近距離無線通信部１５４との間での近距離無線通信による接続処理や、通信制御を行う。また、通信制御部８５６は、基地局装置８００の識別情報を付帯した報知情報を作成し、近距離無線通信部８６０から報知する制御を行う。例えば、近距離無線通信部８６０は、無線ＬＡＮ、ブルートゥース（登録商標）、ＮＦＣ等によって端末装置１００と通信を行う。具体的には、通信制御部８５６は、基地局装置８００の識別情報を含むビーコン信号を作成し、近距離無線通信部８６０から報知するようにしてもよい。
【００５６】
＜データ量付与管理サーバの機能構成＞
データ量付与管理サーバ６００は、通信部６５２、通信制御部６５４、データ量付与判定部６５６、記憶部６５８、及び上記各構成要素を図９に示されているように電気的に接続するためのアドレスバスやデータバス等のバスライン６６０を有している。これらの各部は、図９に示されている各構成要素のいずれかが、データ量付与管理サーバ６００において、不揮発性メモリ３０６からメモリ３０４上に展開されたプログラム３０６２を実行するＣＰＵ３０２からの命令によって動作することで実現される機能である。
【００５７】
＜データ量付与管理サーバの各機能構成＞
図３及び図９を用いて、データ量付与管理サーバ６００の各機能構成について詳細に説明する。なお、以下では、データ量付与管理サーバ６００の各機能構成を説明するにあたって、図３に示されている各構成要素のうち、データ量付与管理サーバ６００の各機能構成を実現させるための主なハードウェアとの関係も説明する。図９に示されているデータ量付与管理サーバ６００の通信部６５２、記憶部６５８、及び記憶部６５８に記憶されているデータ付与判定テーブル６５８２は、データ量付与管理サーバ４００の通信部４５２、記憶部４５８、及び記憶部４５８に記憶されているデータ付与判定テーブル４５８２を適用できる。
【００５８】
通信制御部６５４は、ＣＰＵ３０２からの命令、及び通信Ｉ／Ｆ３１６によって実現される。通信制御部６５４は、通信部６５２と、基地局装置８００の通信部８５２との間での接続処理や、通信制御を行う。また、通信制御部６５４は、後述するデータ量付与判定部６５６によって出力される端末装置１００の識別情報と、該端末装置１００が受信した報知情報を送信した基地局装置８００の識別情報が属するグループに含まれる基地局装置の識別情報と、付与するデータ量を表す情報とを通信部６５２からデータ残量管理サーバ７００へ送信する制御を行う。また、通信制御部６５４は、後述するデータ量付与判定部６５６によって出力されるデータ量を付与することを通知する情報を通信部６５２から端末装置１００へ送信する制御を行う。また、通信制御部６５４は、端末装置１００が送信するデータ通信要求に付帯される端末装置１００の識別情報と、基地局装置２００の識別情報とが通信部６５２で受信されると、該端末装置１００の識別情報と、該基地局装置２００の識別情報とを通信部６５２からデータ残量管理サーバ７００へ送信する制御を行う。
データ量付与判定部６５６は、ＣＰＵ３０２からの命令によって実現される。データ量付与判定部６５６は、通信部６５２によって供給される基地局装置２００の識別情報が、データ付与判定テーブル６５８２に存在するか否かを判定する。仮に、基地局装置８００ａの識別情報が「３３３」であり、基地局装置８００ｂの識別情報が「５５５」である場合について説明する。端末装置１００が、基地局装置８００ａの識別情報「３３３」を通知した場合には存在すると判定する。また、端末装置１００が、基地局装置８００ｂの識別情報「５５５」を通知した場合には存在しないと判定する。
【００５９】
データ量付与判定部６５６は、基地局装置２００の識別情報がデータ付与判定テーブル６５８２に存在すると判定した場合、該基地局装置の識別情報が属するグループの識別情報と、該グループに付与するデータ量を表す情報とを取得する。上記の場合には、端末装置１００が、基地局装置８００ａの識別情報「３３３」を通知しているので、データ量付与判定部６５６は、該識別情報「３３３」によって表される基地局装置８００ａが属するグループ「Ｇ０３」と、該グループ「Ｇ０３」に付与するデータ量「３ＧＢ」を取得する。さらに、データ量付与判定部６５６は、端末装置１００の識別情報と、基地局装置の識別情報が属するグループの識別情報と、該グループに対応する付与するデータ量を表す情報とを通信制御部６５４へ出力する。さらに、データ量付与判定部６５６は、データ量を付与することを通知する情報を作成し、通信制御部６５４へ出力する。一方、データ量付与判定部６５６は、基地局装置２００の識別情報がデータ付与判定テーブル６５８２に存在しないと判定した場合、該基地局装置２００の識別情報が属するグループにデータ量を付与している状態であるか否かを判定する。データ量付与判定部６５６は、データ量を付与している状態である場合には、端末装置１００の識別情報と、該基地局装置の識別情報が属するグループに含まれる基地局装置２００から報知情報を受信していないことを表す情報とを通信制御部６５４へ出力する。データ量付与判定部６５６は、データ量を付与していない状態である場合には、通信部４５２によって供給された端末装置の識別情報とセルラー基地局装置の識別情報とを破棄する。
【００６０】
＜データ残量管理サーバの機能構成＞
データ残量管理サーバ７００は、通信部７５２、通信制御部７５４、データ量管理部７５６、記憶部７５８、及び上記各構成要素を図９に示されているように電気的に接続するためのアドレスバスやデータバス等のバスライン７６０を有している。これらの各部は、図９に示されている各構成要素のいずれかが、データ残量管理サーバ７００において、不揮発性メモリ３０６からメモリ３０４上に展開されたプログラム３０６２を実行するＣＰＵ３０２からの命令によって動作することで実現される機能である。
【００６１】
＜データ残量管理サーバの各機能構成＞
図３及び図９を用いて、データ残量管理サーバ７００の各機能構成について詳細に説明する。なお、以下では、データ残量管理サーバ７００の各機能構成を説明するにあたって、図９に示されている各構成要素のうち、データ残量管理サーバ７００の各機能構成を実現させるための主なハードウェアとの関係も説明する。
図９に示されているデータ残量管理サーバ７００の通信部７５２、記憶部７５８、記憶部７５８に記憶されている利用データ量テーブル７５８２は、データ残量管理サーバ５００の通信部５５２、記憶部５５８、記憶部５５８に記憶されている利用データ量テーブル５５８２を適用できる。ただし、通信部７５２は、データ量付与管理サーバ４００によって送信される端末装置１００の識別情報と、基地局装置８００の識別情報とを通信制御部７５４へ出力する。
【００６２】
データ量管理部７５６は、ＣＰＵ３０２からの命令によって実現される。データ量管理部７５６は、通信部７５２によって供給される端末装置１００の識別情報と、セルラー基地局装置３００の識別情報が属するグループの識別情報と、該グループに付与するデータ量を表す情報とに基づいて、利用データ量テーブル７５８２に含まれる利用可能データ量を変更する。
通信制御部７５４は、ＣＰＵ３０２からの命令、及び通信Ｉ／Ｆ３１６によって実現される。通信制御部７５４は、通信部７５２と、データ量付与管理サーバ６００の通信部６５２との間での接続処理や、通信制御を行う。通信制御部７５４は、通信部７５２と、セルラー基地局装置３００の通信部３５２との間での接続処理や、通信制御を行う。また、通信制御部７５４は、利用データ量テーブル７５８２に格納されている利用可能データ量のうち、セルラー基地局装置３００が送信した端末装置１００の識別情報と、セルラー基地局装置３００の識別情報が属するグループの識別情報との組み合わせに対応する利用可能データ量に基づいて、該データ通信要求を送信した該端末装置１００によって行われるデータ通信を制御する。具体的には、通信制御部７５４は、端末装置１００が利用したデータ量に応じて、記憶部７５８に記憶される利用データ量テーブル７５８２において、端末装置１００の識別情報に対応する利用可能データ量を減少させる。通信制御部７５４は、利用可能データ量を減少させる場合、付与されたデータ量から減少させるようにしてもよい。そして、通信制御部７５４は、利用したデータ量が利用可能データ量に到達し、超過する場合、通信速度を制限する。通信速度を制限する場合、通信制御部７５４は、通信速度を制限することを表す情報を作成し、通信部７５２から端末装置１００へ送信する。この通信速度を制限することを表す情報は、セルラー基地局装置３００を経由して端末装置１００へ送信される。
【００６３】
＜本実施形態に係る無線通信システムの動作＞
図１０は、本実施形態に係る無線通信システムの動作の一例を示す。
ステップＳ１００２では、基地局装置８００の通信制御部８５６は、基地局装置８００の識別情報を付帯した報知情報を生成する。基地局装置８００の近距離無線通信部８６０は、通信制御部８５６が生成した報知情報を報知する。
ステップＳ１００４では、端末装置１００の無線通信部１５２は、基地局装置８００が報知する報知情報を受信する。端末装置１００の通信制御部１５６は、報知情報に付帯される基地局装置８００の識別情報を取得する。そして、通信制御部１５６は、基地局装置８００の識別情報と、端末装置１００の識別情報とを近距離無線通信部１５４からデータ量付与管理サーバ６００へ送信する。基地局装置８００の識別情報と、端末装置１００の識別情報とは、基地局装置８００を経由して、データ量付与管理サーバ６００へ送信される。データ量付与管理サーバ６００の通信部６５２は、端末装置１００が送信する端末装置１００の識別情報と、基地局装置８００の識別情報とを受信する。
ステップＳ１００６−Ｓ１０１２は、図７のステップＳ７０６−Ｓ７１２を適用できる。
ステップＳ１０１４では、端末装置１００の通信制御部１５６は、データ通信要求に際して、該データ通信要求に付帯する端末装置１００の識別情報と、基地局装置の識別情報とを生成し、近距離無線通信部１５４からデータ量付与管理サーバ６００へ送信する。
【００６４】
ステップＳ１０１６では、データ量付与管理サーバ６００の通信部６５２は、端末装置１００によって送信された該端末装置１００の識別情報と、該基地局装置の識別情報とを受信すると、該端末装置１００の識別情報と、該基地局装置の識別情報を通信制御部６５４へ出力する。通信制御部６５４は、該端末装置１００の識別情報と、該基地局装置の識別情報とを通信部６５２からデータ残量管理サーバ７００へ送信する。データ残量管理サーバ７００の通信部７５２は、データ量付与管理サーバ６００によって送信された該端末装置１００の識別情報と、該基地局装置の識別情報とを通信制御部７５４へ出力する。
ステップＳ１０１８−Ｓ１０２０は、図７のステップＳ７１８−Ｓ７２０を適用できる。
【００６５】
ステップＳ１０２２では、データ残量管理サーバ７００の通信部７５２は、基地局装置８００によって送信されたデータ通信要求を受信する。データ残量管理サーバ７００の通信制御部７５４は、記憶部７５８に記憶された利用データ量テーブル７５８２に格納されている利用可能データ量のうち、端末装置１００が送信したデータ通信要求に付帯される端末装置１００の識別情報に対応する基地局装置の識別情報を通信部７５２によって供給される端末装置１００の識別情報と、基地局装置の識別情報との対応に基づいて特定し、特定した基地局装置の識別情報が属するグループと、端末装置１００の識別情報との組み合わせに対応する利用可能データ量に基づいて、該データ通信要求を送信した該端末装置１００によって行われるデータ通信を制御する。
ステップＳ１０１４−Ｓ１０１６において、端末装置１００は、データ通信要求に際して、該データ通信要求に付帯する端末装置１００の識別情報と、基地局装置の識別情報とを生成し、近距離無線通信部１５４からデータ量付与管理サーバ６００を経由せずに、データ残量管理サーバ７００へ送信するようにしてもよい。
図１１を参照し、説明を続ける。ステップＳ１１０２−Ｓ１１０６は、図８のステップＳ８０２−Ｓ８０６を適用できる。
【００６６】
本実施形態に係る無線通信システムによれば、基地局装置２００は、該基地局装置２００の識別情報を付帯した報知情報を報知する。端末装置１００は、該報知情報を受信した場合に、該報知情報に付帯される基地局装置２００の識別情報と、端末装置１００の識別情報とをデータ量付与管理サーバ４００へ送信する。データ量付与管理サーバ４００は、端末装置１００へデータ量を付与するか否かを判定する。データ量付与管理サーバ４００は、データ量を付与すると判定した場合、端末装置１００の識別情報と、基地局装置２００の識別情報が属するグループの識別情報と、該グループに付与するデータ量を表す情報とをデータ残量管理サーバ５００へ通知する。
【００６７】
データ残量管理サーバ５００は、データ量付与管理サーバ４００によって送信された端末装置１００の識別情報と、基地局装置２００の識別情報が属するグループの識別情報と、該グループに付与するデータ量を表す情報とに基づいて、該端末装置１００の識別情報と該グループの識別情報との組み合わせに対応する利用可能データ量を増加させる。つまり、特定の基地局装置２００によって報知される報知情報を受信できる通信エリアに端末装置１００が入った場合、該特定の基地局装置２００と同じグループに属する基地局装置の通信エリアで通信する場合に、該端末装置１００へデータ量が付与される。このため、端末装置１００のユーザに対して、グループに属する基地局装置２００の通信エリアへ入ることを促すことができる。例えば、店舗に基地局装置２００を設置することによって、該店舗へ端末装置１００のユーザが入ることを促すことができる。さらに、特定の基地局装置２００と同じグループに属する基地局装置の通信エリアから出た場合には、付与されたデータ量が使用不可とされるため、特定の基地局装置２００が設置された店舗にユーザが居続けることを促すことができる。
上述した実施形態において、基地局装置２００は一台でもよいし、三台以上でもよい。また、セルラー基地局装置３００は一台でもよいし、三台以上でもよい。
また、データ量付与管理サーバ４００、及び６００によって実行される処理と、データ残量管理サーバ５００、７００によって実行される処理とが一台のサーバによって実行されてもよい。
【００６８】
上述した第１の実施形態−第２の実施形態のいずれかが組み合わされてもよい。上述した実施形態において、基地局装置２００毎に付与するデータ量をプールしておき、該プールしておいたデータ量が零になるまで、端末装置１００にデータを付与するようにしてもよい。また、データ残量管理サーバは、追加されたデータ量の残量が零になった場合に、データ量付与管理サーバに、データ量の残量がゼロになったことを通知するようにしてもよい。そして、データ量付与管理サーバは、記憶部に登録されているデータ量付与管理テーブルから該当の登録を削除するようにしてもよい。また、データ量の付与する否かを判定する基地局装置の識別情報と、付与されたデータ量を利用できる基地局装置の識別情報とは異なっていてもよい。つまり、データ量付与管理サーバがデータ残量管理サーバへ通知する基地局装置の識別情報とデータ量付与管理サーバで管理する識別情報が異なっていてもよい。
【００６９】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更、組合せを行うことができる。これら実施形態及びその変形は、発明の範囲や要旨に含まれると同時に、特許請求の範囲に記載された発明とその均等の範囲に含まれるものである。
【００７０】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００７１】
上述した実施形態において、無線通信システムは通信データ量管理システムの一例であり、基地局装置２００は特定のエリアをカバーする一又は複数の基地局装置の一例であり、データ量付与判定部４５６、６５６及び７５６は判定部の一例であり、通信部４５２、６５２及び７５２は送信部の一例であり、記憶部４５８、６５８及び７５８は第１の記憶部の一例であり、記憶部５５８は第２の記憶部の一例であり、通信制御部５５４は制御部の一例である。
【符号の説明】
【００７２】
２０…通信網、５０…セルラー通信網、１００…端末装置、１５２…無線通信部、１５４…近距離無線通信部、１５６…通信制御部、１５８…操作検出部、１６２…表示制御部、１６４…記憶部、２００ａ、２００ｂ、８００ａ、８００ｂ…基地局装置、２５２…通信部、２５６…通信制御部、２６０…近距離無線通信部、２６２…記憶部、３００ａ、３００ｂ…セルラー基地局装置、３５２…通信部、３５４…通信制御部、３６０…無線通信部、３６２…記憶部、４００、６００…データ量付与管理サーバ、４５２…通信部、４５４…通信制御部、４５６…データ量付与判定部、４５８…記憶部、５００、７００…データ残量管理サーバ、５５２…通信部、５５４…通信制御部、５５６…データ量管理部、５５８…記憶部、４５８２、６５８２…データ付与判定テーブル、５５８２，７５８２…利用データ量テーブル
【図１】
0006556078.tif 000002
【図２】
0006556078.tif 000003
【図３】
0006556078.tif 000004
【図４】
0006556078.tif 000005
【図５】
0006556078.tif 000006
【図６】
0006556078.tif 000007
【図７】
0006556078.tif 000008
【図８】
0006556078.tif 000009
【図９】
0006556078.tif 000010
【図１０】
0006556078.tif 000011
【図１１】
0006556078.tif 000012